(57)【特許請求の範囲】
【請求項１】
床面に設けた左右方向を向く巾木内に、左右１対の支柱支持材を配設し、この支柱支持材に下端部を外嵌して立設した左右１対の支柱間に、パネルを架設し、前記支柱支持材に取付けたパネル受け金具により、パネルの下端を保持するようにした間仕切装置において、
前記支柱支持材の左右の側面に、先端部に互いに内方を向く内向き突片を有する前後１対の係合片を突設し、各係合片の基部により、前記支柱の下端を支持し、かつ各係合片における前記支柱の支持部分より先端側の部分に、前記パネル受け金具を跨嵌するとともに、前記各係合片の内向き突片における基部寄りの面に、前記パネル受け金具に一体的に設けた係止片を係止させることにより、前記パネル受け金具を、前後および左右方向に移動不能として、前記支柱支持材に取付け、前記パネル受け金具を、前後の係合片上に載置される上片の前後の縁より垂下する側片の下端に、前後方向の外向きに突出し、かつ各パネルの下端を支持する受片を連設し、前記上片の前後方向の中間部に、前後の係合片の内向き突片間に嵌合される下向き突出部を設け、この下向き突出部の側縁に、前後の係合片の内向き突片に係止される係止片を設けたことを特徴とする間仕切装置。
【請求項２】
上片の中間部を、上方に開口する側面視上向きコ字状に折曲することにより、下向き突出部を形成した請求項１記載の間仕切装置。
【発明の詳細な説明】
【技術分野】
【０００１】
本発明は、オフィス等の室内を仕切るための間仕切装置に関する。
【背景技術】
【０００２】
従来の間仕切装置には、床面に設けた左右方向を向く巾木内に、左右１対の支柱支持材を配設し、この支柱支持材に下端部を外嵌して立設した左右１対の支柱間に、パネルを架設し、支柱支持材に取付けたパネル受け金具により、パネルの下端を保持するようにしたものがある(例えば、特許文献１参照)。
【特許文献１】特開平 １１−５０５７５号公報
【発明の開示】
【発明が解決しようとする課題】
【０００３】
しかし、特許文献１に記載されているものにおいては、支柱支持材に設けた矩形孔と、支柱に設けたスリットとに、パネル受け金具に設けた係合片を差し込んで、パネル受け金具を水平状態から垂直状態まで回動させることにより、パネル受け金具を支柱支持材および支柱に取付けるようにしてあるので、支柱支持材や支柱に孔開け加工を施さなければならず、加工が面倒であるとともに、組み付け作業が煩雑である。
また、パネル装着前に、パネル受け金具が支柱等から脱落しやすく、各々の部材の当接部が少ないため、重量のある支柱やパネルを支えるには不向きである。
【０００４】
本発明は、従来の技術が有する上記のような問題点に鑑み、施工性に優れ、パネル受け金具が脱落し難く、重量のある支柱やパネルを強固に支持できるようにした間仕切装置を提供することを目的としている。
【課題を解決するための手段】
【０００５】
本発明によると、上記課題は次のようにして解決される。
（１）床面に設けた左右方向を向く巾木内に、左右１対の支柱支持材を配設し、この支柱支持材に下端部を外嵌して立設した左右１対の支柱間に、パネルを架設し、前記支柱支持材に取付けたパネル受け金具により、パネルの下端を保持するようにした間仕切装置において、前記支柱支持材の左右の側面に、先端部に互いに内方を向く内向き突片を有する前後１対の係合片を突設し、各係合片の基部により、前記支柱の下端を支持し、かつ各係合片における前記支柱の支持部分より先端側の部分に、前記パネル受け金具を跨嵌するとともに、前記各係合片の内向き突片における基部寄りの面に、前記パネル受け金具に一体的に設けた係止片を係止させることにより、前記パネル受け金具を、前後および左右方向に移動不能として、前記支柱支持材に取付ける。
【０００６】
（２）上記(１)項において、パネル受け金具を、前後の係合片上に載置される上片の前後の縁より垂下する側片の下端に、前後方向の外向きに突出し、かつ各パネルの下端を支持する受片を連設し、前記上片の前後方向の中間部に、前後の係合片の内向き突片間に嵌合される下向き突出部を設け、この下向き突出部の側縁に、前後の係合片の内向き突片に係止される係止片を設けたものとする。
【０００７】
（３）上記(１)または(２)項において、上片の中間部を、上方に開口する側面視上向きコ字状に折曲することにより、下向き突出部を形成する。
【発明の効果】
【０００８】
本発明によると、次のような効果を奏することができる。
【０００９】
上記(１)項記載の発明によると、巾木上に支柱支持材を載置した後、その上方より支柱を支柱支持材に外嵌し、次いで、支柱支持材に突設した係合片における支柱より外方に突出した部分に、パネル受け金具を上方より差し込むだけで、各部品を簡単に組み付けることができ、しかも、支柱や支柱支持材に孔開け加工を施す必要がなく、施工性に優れている。
また、支柱支持材の側面に突設した係合片の基部で、支柱の下端を強力に受支することができるとともに、係合片における支柱から外方に突出した部分で、パネル受け金具を受支し、かつ係合片の先端に設けた内向き突片に、パネル受け金具に設けた係止片を係止させてあるので、パネル装着前においても、パネル受け金具が、支柱支持材から脱落するおそれは少なく、パネル装着後には、パネルの下端をパネル受け金具で強力に受支することができる。
【００１０】
上記(２)項および(３)項記載の発明によると、パネル受け金具を、金属板をプレス加工等することにより、簡単に製造することができる。
【発明を実施するための最良の形態】
【００１１】
図１〜図５は、本発明の間仕切装置の一実施形態の要部を、組立順序に従って示したものである。
【００１２】
図１に示すように、底片１ａの前後の縁より両側片１ｂ、１ｂが起立するように折曲形成され、側面視上向コ字状をなす左右方向を向く巾木１は、床面(図示略)上に載置され、必要に応じて、適宜アンカー(図示略)されている。
【００１３】
この巾木１上には、左右１対の支柱支持材２(その一方のみを図示)が配設されている。
支柱支持材２は、巾木１の内側巾に等しい巾に形成された厚肉鋼板からなる底板３と、底板３上に一体化された芯柱４と、底板３の下面中央に一体化された溶接ナット５と、この溶接ナット５に螺合されて、底板３を上下方向に貫通し、かつ下端に設けられた頭部６ａが、巾木１の底片１ａに当接して、支柱支持材２およびそれに掛かるすべての荷重を支えるようにした高さ調整ボルト６とを備えている。
【００１４】
高さ調整ボルト６の頂部には六角穴６ｂが形成され、巾木１内に支柱支持材２を配設した後、芯柱４に上方より挿入した六角レンチの先端をこの六角穴６ｂに挿入して回すことにより、支柱支持材２の高さを調整することができるようになっている。
【００１５】
芯柱４は、厚肉鋼材をプレス成形して、一側面中央に縦溝のある角管状に形成され、その下端に、底板３が溶接されている。また、芯柱４の前後面両側部には、後述する支柱の内面に点接触するべく、複数の突き当て片７が、上下方向に所要の間隔をもって、切り起こして形成されている。
また、芯柱４の下部における左右の側面には、先端部に互いに内方を向く内向き突片８ａを有する前後１対の係合片８が、切り起こすことにより突設されている。
【００１６】
係合片８には、パネル受け金具９が係脱可能に係止されている。
パネル受け金具９は、やや厚手の鋼材をプレス加工して形成されたもので、前後の係合片８、８上に載置される上片１０の前後の縁より垂下する側片１１、１１の下端に、前後方向の外向きに突出し、かつ後述するパネルの下端を支持する受片１２、１２が連設され、かつ上片１０の前後方向の中間部に、前後の係合片８、８の内向き突片８ａ、８ａ間に嵌合される下向き突出部１３が設けられ、この下向き突出部１３の側縁に、前後の係合片８、８の内向き突片８ａ、８ａに係止される係止片１４、１４が設けられたものよりなっている。
【００１７】
下向き突出部１３は、上片１０の中間部を、上方に開口する側面視上向きコ字状に折曲することにより形成され、上片１０から垂下する前後１対の垂下片１３ａ、１３ａと、その下端同士を連結する連結片１３ｂとからなり、前後の垂下片１３ａ、１３ａの一方の側縁の中位部に、上記係止片１４、１４が、前後方向外向きとして連設されている。
【００１８】
パネル受け金具９は、その下向き突出部１３が前後の係合片８、８の内向き突片８ａ、８ａ間に嵌合され、両側片１１、１１が係合片８、８の前後の外側から垂下し、かつ上片１０の下面が前後の係止片１４、１４の上縁に当接するようにして、また、前後の係止片１４、１４が、前後の係合片８、８の内向き突片８ａ、８ａに係止されるようにして、前後の係合片８、８上に跨嵌され、前後方向、および左右方向のうち、支柱支持材２から離れる方向に移動不能として、支柱支持材２に取付けられている。
【００１９】
図２に示すように、係止片１４、１４が、前後の係合片８、８の内向き突片８ａ、８ａに当接するまで、パネル受け金具９を支柱支持材２から離れる方向に移動させたときに、支柱支持材２の左右の側面とパネル受け金具９における上片１０の側端との間に形成される係合片８、８上の空間内には、支柱支持材２に上方より外嵌された支柱１５の下端部が進入し、支柱１５の下端は、係合片８、８の基部の上縁に受支されている(図３参照)。
【００２０】
支柱１５は、薄鋼板製の中空角管により形成され、その下端前後部には、巾木１の両側片１ｂ、１ｂの外側において垂下する垂下片１５ａ、１５ａが設けられている。
【００２１】
支柱１５の内のり寸法は、突き当て片７の先端同士を結ぶ芯柱４の外形寸法に等しくしてあり、支柱１５は、支柱支持材２に、円滑に、かつ高精度で外嵌される。
また、支柱１５の荷重はパネル受け金具９に掛かることはなく、パネル受け金具９の荷重は、支柱１５に掛かることはない。
【００２２】
支柱１５の左右の側面における上下方向の適所には、ブラケット１６取付用のねじ孔１７が設けられている。
【００２３】
図４は、パネル１８を、ブラケット１６を介して、支柱１５に取付けた状態を示す。
ブラケット１６は、取付面１６ａが、取付ねじ１９を上記ねじ孔１７に螺合することにより、支柱１５の側面に固着され、前後の端部に、取付面１６ａより直角に折曲形成された間隔保持片１６ｂと、支柱１５の前後面より突出する上向きのフック１６ｃとを備えている。
【００２４】
パネル１８は、上下および左右の縁部に、裏面側にコ字状に折り返して形成した折り返し部２０ａを有する方形の化粧板２０と、折り返し部２０ａの内側において、化粧板２０の裏面に固着された石膏ボード２１とを備えている。
【００２５】
化粧板２０の左右の折返し部２０ａには、ブラケット１６のフック１６ｃに対応する位置に、係止孔２２が設けられており、この係止孔２２の上縁を、対応するブラケット１６のフック１６ｃに係止し、かつ下端を、パネル受け金具９の受片１２に載置することにより、パネル１８は支柱１５およびパネル受け金具９を介して、支柱支持材２に支持されている。
【００２６】
図４には、パネル１８の下部の取付構造のみを示してあるが、パネル１８は、少なくとも上下２箇所において、ブラケット１６のフック１６ｃに係止される。
【００２７】
図５は、支柱１５の前後面に、左右２枚ずつのパネル１８(そのうちの１枚は想像で示す)を装着した状態を示してある。各パネル１８の支持構造は、図４に示すものとすべて同一である。
【００２８】
この実施形態によると、巾木１上に支柱支持材２を載置した後、その上方より支柱１５を支柱支持材２に外嵌し、次いで、支柱支持材２に突設した係合片８における支柱１５より外方に突出した部分に、パネル受け金具９を上方より差し込むだけで、各部品を簡単に組み付けることができ、しかも、支柱１５や支柱支持材２に孔開け加工を施す必要がなく、施工性に優れている。
また、支柱支持材２の側面に突設した係合片８の基部で、支柱１５の下端を強力に受支することができるとともに、係合片８における支柱１５から外方に突出した部分で、パネル受け金具９を受支し、かつ係合片８の先端に設けた内向き突片８ａに、パネル受け金具９に設けた係止片１４を係止させてあるので、パネル１８装着前においても、パネル受け金具９が、支柱支持材２から脱落するおそれは少なく、パネル１８装着後には、パネル１８の下端をパネル受け金具９で強力に受支することができる。
【図面の簡単な説明】
【００２９】
【図１】本発明の間仕切装置の一実施形態における巾木と支柱支持材とパネル受け金具との関係を示す一部分解斜視図である。
【図２】支柱支持材に対するパネル受け金具の取付状態を示す横断平面図である。
【図３】同じく支柱支持材に支柱を取付けた状態を示す斜視図である。
【図４】同じく支柱にパネルを取付けた状態を示す斜視図である。
【図５】支柱の前後両面に、パネルを取付けた状態を示す斜視図である。
【符号の説明】
【００３０】
１  巾木
１ａ  底片
１ｂ  側片
２  支柱支持材
３  底板
４  芯柱
５  溶接ナット
６  調整ボルト
６ａ頭部
６ｂ六角穴
７  突き当て片
８  係合片
８ａ内向き突片
９  パネル受け金具
１０  上片
１１  側片
１２  受片
１３  下向き突出部
１３ａ垂下片
１３ｂ連結片
１４  係止片
１５  支柱
１５ａ垂下片
１６  ブラケット
１６ａ取付面
１６ｂ間隔保持片
１６ｃフック
１７  ねじ孔
１８  パネル
１９  取付ねじ
２０  化粧板
２０ａ折り返し部
２１  石膏ボード
２２  係止孔
【図１】
0005117125.tif 000002
【図２】
0005117125.tif 000003
【図３】
0005117125.tif 000004
【図４】
0005117125.tif 000005
【図５】
0005117125.tif 000006